(57)【要約】【課題】コンセントをレイアウトするスペースを確保しやすいインナーコンセントの取付構造を得る。【解決手段】フロアパネル１の開口部２の周縁部上面が凹設されて段差面が形成され、当該段差面に載置された状態で取り付けられるフレーム１１を介して当該開口部２内にインナーコンセントが設置されるインナーコンセントの取付構造において、インナーコンセントは、コンセント本体部１３と当該コンセント本体部１３が固定されたブラケットプレート１４とを有し、フレーム１１およびブラケットプレート１４を、ビス１７を用いて開口部２の周縁部に共締め固定した。【選択図】図７
2008243549.tif 000002
【特許請求の範囲】
【請求項１】
フロアパネル開口部の周縁部上面が凹設されて段差面が形成され、当該段差面に載置された状態で取り付けられるフレームを介して当該開口部内にインナーコンセントが設置されるインナーコンセントの取付構造において、
前記インナーコンセントは、コンセント本体部と当該コンセント本体部が固定されたブラケットプレートとを有し、
前記フレームおよび前記ブラケットプレートを、止めねじを用いて前記開口部の周縁部に共締め固定したことを特徴とするインナーコンセントの取付構造。
【請求項２】
前記ブラケットプレートは、前記フレームに掛止される掛止部を有し、
前記フレームの上面に、掛止部を嵌合する凹部を設け、
前記凹部の深さを掛止部の厚みと略一致させて、前記フレームの上面と当該掛止部の上面とが略面一となるようにしたことを特徴とする請求項１に記載のインナーコンセントの取付構造。
【請求項３】
前記フロアパネル開口部内に、インナーコンセントに差し込まれるプラグを収容するプラグ収容室がフロアパネルの下部空間と区画された状態で形成されるとともに、前記インナーコンセントによって当該プラグ収容室の側面が形成され、
前記プラグ収容室の底面および前記インナーコンセント配置部分以外の側面をなす壁プレートを備え、
前記壁プレートと前記ブラケットプレートとを結合できるようにしたことを特徴とする請求項１または２に記載のインナーコンセントの取付構造。
【請求項４】
前記壁プレートの前記インナーコンセント配置部分以外の側面をなす側壁の上端部に、前記フレームに掛止される第２の掛止部を設け、
前記フレームの上面に、前記第２の掛止部を嵌合する第２の凹部を設け、
前記第２の凹部の深さを前記第２の掛止部の厚みと略一致させて、前記フレームの上面と当該第２の掛止部の上面とが略面一となるようにしたことを特徴とする請求項３に記載のインナーコンセントの取付構造。
【発明の詳細な説明】
【技術分野】
【０００１】
本発明は、フロアパネルに形成された開口部内に収納状態で設置されるインナーコンセントの取付構造に関する。
【背景技術】
【０００２】
従来、この種のインナーコンセントの取付構造として、フロアパネルに形成された開口部の周縁部上面を凹設して段差面（鍔部）を形成し、その段差面にフレームを載置して取り付けることで、当該フレームに固定されたインナーコンセントが開口部内に設置されるようになっているものが知られている。
【０００３】
一方、フロアパネル開口部内でインナーコンセントをフロアパネルに固定する方式として、挟み金具を用いる方式が知られている。この場合、例えば、インナーコンセントのフランジ部をフロアパネル開口部の周縁部下面に当接させた状態で、挟み金具のねじ部を回動させることで可動部分を上方に移動させ、以て、当該周縁部下面と可動部分とによってフランジ部が挟持される（例えば、特許文献１）。
【特許文献１】特開平６−２５３４１７号公報
【発明の開示】
【発明が解決しようとする課題】
【０００４】
しかしながら、上記挟み金具を用いてインナーコンセントを固定する方式では、挟み金具を設けた分だけ、フロアパネル開口部内で、インナーコンセントに差し込まれるプラグが収納されるプラグ収容室に割り当てられるスペースが小さくなって、より大型のコンセント、より多数のコンセント、あるいはより多くの種類のコンセントをレイアウトし難くなる場合があった。
【０００５】
そこで、本発明は、コンセントをレイアウトするスペースを確保しやすいインナーコンセントの取付構造を得ることを目的とする。
【課題を解決するための手段】
【０００６】
請求項１の発明にあっては、フロアパネル開口部の周縁部上面が凹設されて段差面が形成され、当該段差面に載置された状態で取り付けられるフレームを介して当該開口部内にインナーコンセントが設置されるインナーコンセントの取付構造において、上記インナーコンセントは、コンセント本体部と当該コンセント本体部が固定されたブラケットプレートとを有し、上記フレームおよび上記ブラケットプレートを、止めねじを用いて上記開口部の周縁部に共締め固定したことを特徴とする。
【０００７】
請求項２の発明にあっては、上記ブラケットプレートは、上記フレームに掛止される掛止部を有し、上記フレームの上面に、掛止部を嵌合する凹部を設け、上記凹部の深さを掛止部の厚みと略一致させて、上記フレームの上面と当該掛止部の上面とが略面一となるようにしたことを特徴とする。
【０００８】
請求項３の発明にあっては、上記フロアパネル開口部内に、インナーコンセントに差し込まれるプラグを収容するプラグ収容室がフロアパネルの下部空間と区画された状態で形成されるとともに、上記インナーコンセントによって当該プラグ収容室の側面が形成され、上記プラグ収容室の底面および上記インナーコンセント配置部分以外の側面をなす壁プレートを備え、上記壁プレートと上記ブラケットプレートとを結合できるようにしたことを特徴とする。
【０００９】
請求項４の発明にあっては、上記壁プレートの上記インナーコンセント配置部分以外の側面をなす側壁の上端部に、上記フレームに掛止される第２の掛止部を設け、上記フレームの上面に、上記第２の掛止部を嵌合する第２の凹部を設け、上記第２の凹部の深さを上記第２の掛止部の厚みと略一致させて、上記フレームの上面と当該第２の掛止部の上面とが略面一となるようにしたことを特徴とする。
【発明の効果】
【００１０】
請求項１の発明によれば、フレームおよびブラケットプレートを止めねじを用いてフロアパネル開口部の周縁部に共締め固定するようにしたので、挟み金具が不要となる分、プラグ収容室のスペース、すなわちコンセントをレイアウトするスペースを確保しやすくなる。
【００１１】
また、共締めする分、フレームおよびブラケットプレートをそれぞれ別個のねじで固定する場合に比べて部品点数を削減できる上、取付構造自体を簡素化できるため、製造コストを削減することができる。
【００１２】
請求項２の発明によれば、凹部に掛止部を嵌合させることで、ブラケットプレートをフレームに位置決めしやすくなる上、凹部の深さと掛止部の厚みとを略一致させたため、掛止部の上面とフレームの上面とを略面一に設定することができるようになって、美観が損なわれるのが抑制されるとともに、フレーム上面に蓋部材等をがたつきが小さくより安定的な状態で載置しやすくなる。
【００１３】
請求項３の発明によれば、壁プレートをブラケットプレートに結合するため、これをフレームに結合する場合に比べて、当該フレームの構成を簡素化することができる。
【００１４】
請求項４の発明によれば、壁プレートをブラケットプレートに結合するのに加えてフレームに掛止することで、壁プレートをより安定的に設置できるようになる。また、第２の凹部に第２の掛止部を嵌合させることで、壁プレートをフレームに位置決めしやすくなる上、第２の凹部の深さと第２の掛止部の厚みとを略一致させたため、第２の掛止部の上面とフレームの上面とを略面一に設定することができるようになって、美観が損なわれるのが抑制されるとともに、フレーム上面に蓋部材等をがたつきが小さくより安定的な状態で載置しやすくなる。
【発明を実施するための最良の形態】
【００１５】
以下、本発明の実施形態について図面を参照しながら詳細に説明する。図１は、本実施形態にかかるインナーコンセント取付構造を略上方から見た断面図、図２は、図１のII−II断面図、図３は、インナーコンセント取付構造の分解斜視図、図４は、フレームを斜め上方から見た斜視図、図５は、図１のV−V断面図、図６は、フロアパネルの開口部が形成された部分を下方（裏面側）から見た斜視図、図７は、インナーコンセントを設置する手順を（ａ）〜（ｃ）の順に示す斜視図、図８は、フレームおよび枠状スペーサの分解斜視図である。
【００１６】
図１および図２に示すように、本実施形態にかかるインナーコンセント１０では、コンセント本体部１３を有する内部構造体１２が、フロアパネル１に形成された略矩形状の開口部２内（すなわち、開口部２の奥側）に収納された状態で設置されている。
【００１７】
かかる構造では、フロアパネル１の上面１ａが開口部２の周縁部分で凹設されて段差面２ａが形成されており、インナーコンセント１０のフレーム１１がこの段差面２ａ上に載置され、図３にも示すように、内部構造体１２は、このフレーム１１を介して設置されるようになっている。なお、図２には、フレーム１１が枠状スペーサ２０を介して段差面２ａ上に載置された場合が示されている。
【００１８】
フレーム１１は、開口部２の形状に沿う略矩形枠状に形成され、開口部２の段差面２ａ上に載置される底壁部１１ａと、この底壁部１１ａの外周縁部を上方に起立させた周壁部１１ｂと、を有しており、図２に示すように、このフレーム１１が開口部２の段差面２ａ上に設置された状態では、周壁部１１ｂの上端面（上面）１１ｇとフロアパネル１に敷設されるカーペット３の上面３ａとが略同じ高さ（面一）となるようにしてある。
【００１９】
内部構造体１２は、コンセント本体部１３と、このコンセント本体部１３が固定されるブラケットプレート１４と、開口部２内の底部および側部を覆う壁プレート１５と、を備えている。
【００２０】
本実施形態では、コンセント本体部１３およびブラケットプレート１４のサブアセンブリが相互に対向する位置に一対設けられている。
【００２１】
一対のブラケットプレート１４は、側面視でそれぞれの下部が互いに近付く状態で逆ハの字状に傾斜させて配置されており、これにより、コンセント本体部１３が斜め上方を指向し、プラグを差し込みやすくなる。
【００２２】
コンセント本体部１３は、ブラケットプレート１４に形成された矩形状開口１４ａに嵌着される。なお、本実施形態では、一方のコンセント本体部１３には、３極プラグ用の差込口１３ａが２箇所横並びに設けられている。
【００２３】
壁プレート１５は、図２および図３に示すように、二つのブラケットプレート１４間の隙間を塞ぐように、一対の側壁１５ａと底壁１５ｂとによって断面略Ｕ字状に折曲成形されており、この壁プレート１５によって、プラグ収容室Ｓの底面およびコンセント本体部１３が設置されない側面が形成される。すなわち、本実施形態では、コンセント本体部１３およびブラケットプレート１４によってプラグ収容室Ｓの相互に対向して対をなす側面が形成されるとともに、壁プレート１５の一対の側壁１５ａによってプラグ収容室Ｓの他の対をなす側面が形成され、さらに底壁１５ｂによってプラグ収容室Ｓの底面が形成され、これらコンセント本体部１３、ブラケットプレート１４、および壁プレート１５によって、プラグ収容室Ｓがフロアパネル１の下部空間と区画された状態で形成されるようになっている。
【００２４】
側壁１５ａは、傾斜配置された二つのブラケットプレート１４の側辺に対応して、下方の幅が狭くなる略逆台形状に形成されるとともに、底壁１５ｂは、一対のブラケットプレート１４の下端縁間を塞ぐように略矩形状に形成されている。
【００２５】
壁プレート１５は、図２および図３に示すように、二つのブラケットプレート１４間の隙間を覆うように、一対の側壁１５ａと底壁１５ｂとによって断面略Ｕ字状に折曲成形されており、この壁プレート１５によって、プラグ収容室Ｓの底面およびコンセント本体部１３が設置されない側面が形成される。側壁１５ａは、傾斜配置された二つのブラケットプレート１４の側辺に対応して、下方の幅が狭くなる略逆台形状に形成されるとともに、底壁１５ｂは、一対のブラケットプレート１４の下端縁間を塞ぐように略矩形状に形成されている。
【００２６】
また、インナーコンセント１０の非使用時には、図３に示すように、フレーム１１の底壁部１１ａ上に、周壁部１１ｂの内周に沿う外縁を有する略矩形板状の蓋部材１６が載置され、この蓋部材１６によってプラグ収容室Ｓが閉蓋されるようになっている。このとき、蓋部材１６の表面１６ａは、カーペット３の上面３ａおよびフレーム１１の周壁部１１ｂの上端面１１ｇと略同じ高さ（すなわち面一）となるようにしてある。
【００２７】
ところで、図４に示すように、フレーム１１の相互に対向する一対の底壁部１１ａには、それぞれ長穴状の取付穴（貫通穴）１１ｃが二箇所ずつ形成されており、それら取付穴１１ｃの形成部分には所定深さの凹設面１１ｄが形成される。また、取付穴１１ｃが形成されない相互に対向する他の一対の底壁部１１ａの内側縁には、それぞれ所定深さの段差部１１ｅが形成されている。
【００２８】
また、図６に示すように、段差面２ａには、フレーム１１の取付穴１１ｃに対応する部位に、雌ねじ穴２ｂが穿設されている。
【００２９】
さらに、図３に示すように、ブラケットプレート１４の上端部には、フレーム１１の凹設面（凹部）１１ｄに対応する部位に、外方に折曲される掛止部としてのフランジ片１４ｂが二箇所ずつ形成される。それらフランジ片１４ｂには長穴状の取付穴１４ｃが形成されるとともに、対を成すブラケットプレート１４の下端部には、図２に示すように、それぞれの対向方向に張り出す延設片１４ｄが形成される。フランジ片１４ｂはフレーム１１の凹設面１１ｄに配置されるが、その凹設面１１ｄの深さはフランジ片１４ｂの厚みと略等しく形成される。
【００３０】
一方、図５に示すように、壁プレート１５の側壁１５ａの上端部には、外方に折曲される第二の掛止部としての折曲片部１５ｃが形成される。この折曲片部１５ｃはフレーム１１の段差部（第２の凹部）１１ｅに配置されるが、その段差部１１ｅの深さは折曲片部１５ｃの厚みと略等しく形成される。
【００３１】
上記構成のインナーコンセント１０をフロアパネル１に設置する際には、まずは、図７（ａ）に示すように、フロアパネル１の開口部２に、上方から、底壁部１１ａと段差面２ａとが重なるようにしてフレーム１１を配置した後、図７（ｂ）に示すように、コンセント本体部１３を取り付けたブラケットプレート１４を開口部２から挿入し、当該ブラケットプレート１４のフランジ片１４ｂをフレーム１１の凹設面１１ｄに引っ掛けるようにして嵌合配置する。
【００３２】
そして、フランジ片１４ｂの取付穴１４ｃおよびフレーム１１の取付穴１１ｃに上方から止めねじとしてのビス１７を挿入し、そのビス１７をフロアパネル１の雌ねじ穴２ｂに螺合して締め付けることにより、フレーム１１およびブラケットプレート１４をフロアパネル１の開口部２の周縁部に固定する。すなわち、本実施形態では、フレーム１１およびブラケットプレート１４が、止めねじとしてのビス１７によって、フロアパネル１の開口部２の周縁部に共締め固定される。
【００３３】
次に、図７（ｃ）に示すように、壁プレート１５を開口部２から挿入して、当該壁プレート１５の上端部の折曲片部１５ｃをフレーム１１の段差部１１ｅに引っ掛けるようにして嵌合配置するとともに、底壁１５ｂをブラケットプレート１４の延設片１４ｄにビス１８（図２参照）によって締め付けて固定する。すなわち、本実施形態では、壁プレート１５とブラケットプレート１４とが、止めねじとしてのビス１８によって結合される。
【００３４】
以上のようにしてインナーコンセント１０をフロアパネル１の開口部２にフレーム１１を介して設置することで、当該開口部２の内部に、一対のブラケットプレート１４および壁プレート１５によって囲まれたプラグ収容室Ｓが形成される。
【００３５】
このとき、本実施形態では、上述したように、凹部としての凹設面１１ｄの深さが掛止部としてのフランジ片１４ｂの厚みと略等しく形成され、かつ、第２の凹部としての段差部１１ｅの深さが第２の掛止部としての折曲片部１５ｃの厚みと略等しく形成されているため、フランジ片１４ｂおよび折曲片部１５ｃの上面は、いずれも、フレーム１１の底壁部１１ａの上面と略面一となる。
【００３６】
ところで、フレーム１１はフロアパネル１の開口部２の段差面２ａに載置され、上述したように、周壁部１１ｂの上端面１１ｇとカーペット３の上面３ａとが略同一高さとなるように設定されるが、当該段差面２ａのフロアパネル１の上面からの凹設深さがフロアパネル１の仕様によって異なる場合とがある。
【００３７】
そこで、本実施形態では、フレーム１１の下面１１ｉ（図２，図５，図８参照）と段差面２ａとの間に枠状スペーサ２０（図９参照）を介在させることで、かかる仕様違いに対応できるようにしている。
【００３８】
すなわち、枠状スペーサ２０は、図９に示すように、フレーム１１の下面１１ｉ側の形状に合わせて略矩形状に形成されており、一定の厚みｔ（＝Ｄ２−Ｄ１）を有して当該底壁部１１ａの下面１１ｉに密着して配置されるようになっている。
【００３９】
そして、この枠状スペーサ２０には、フレーム１１に形成される取付穴１１ｃとほぼ重なるように長穴状の取付穴２０ａが形成されており、フレーム１１をフロアパネル１に取り付ける止めねじとしてのビス１７が、当該取付穴２０ａを貫通するようになっている。すなわち、本実施形態では、この枠状スペーサ２０も、フレーム１１およびブラケットプレート１４とともに、ビス１７によってフロアパネル１に共締め固定される構成となっている。
【００４０】
さらに、その上面（フレーム１１の下面１１ｉとの当接面）には凸部２０ｂが設けられており、この凸部２０ｂが、フレーム１１の下面１１ｉに形成された凹部１１ｆ（図５）と嵌合することで、当該フレーム１１の下面１１ｉに沿う方向のずれが抑制されるようになっている。
【００４１】
また、本実施形態では、フレーム１１には、枠状スペーサ２０を保持する保持部２１が設けられている。
【００４２】
保持部２１は、フレーム１１の開口縁１１ｈの対向部から対を成して垂設される垂下片２１ａと、それら垂下片２１ａの外側面に突起として設けられてフレーム１１との間に枠状スペーサ２０を挟み込む保持突起２１ｂと、を有している。この垂下片２１ａは、図６に示すように、フロアパネル１の開口部２の縁に沿って、当該開口部２内に垂下するようになっており、開口部２に対するフレーム１１の位置決めならびに挿入ガイドとしても機能することができる。
【００４３】
以上説明したように、本実施形態によれば、フレーム１１およびブラケットプレート１４をビス１７を用いてフロアパネル１の開口部２の周縁部に共締め固定するようにしたので、挟み金具が不要となる分、プラグ収容室Ｓのスペース、すなわちコンセント本体部１３をレイアウトするスペースを確保しやすくなる。
【００４４】
また、共締めする分、フレームとブラケットプレートとをそれぞれ別個のねじでフロアパネルに固定する場合に比べて部品点数を削減できる上、取付構造自体を簡素化できるため、製造コストを削減することができる。
【００４５】
また、本実施形態によれば、凹設面１１ｄにフランジ片１４ｂを嵌合させることで、ブラケットプレート１４をフレーム１１に位置決めしやすくなる上、凹設面１１ｄの深さとフランジ片１４ｂの厚みとを略一致させたため、フランジ片１４ｂの上面とフレーム１１の底壁部１１ａの上面とを略面一に設定することができるようになって、美観が損なわれるのが抑制されるとともに、当該底壁部１１ａの上面に蓋部材１６等をがたつきが小さくより安定的な状態で載置しやすくなる。よって、蓋部材１６によるプラグ収容室Ｓの密閉性が高まるという利点もある。
【００４６】
また、本実施形態によれば、壁プレート１５をブラケットプレート１４に結合するため、これをフレーム１１に結合する場合に比べて、当該フレーム１１の構成を簡素化することができる。さらに、壁プレート１５を含む形で内部構造体１２を一体化して取り扱うことができる分、設置作業をより容易に行うことが可能となる。
【００４７】
また、本実施形態によれば、壁プレート１５をブラケットプレート１４に結合するのに加えてフレーム１１に掛止することで、壁プレート１５をより安定的に設置できるようになる。また、段差部１１ｅに折曲片部１５ｃを嵌合させることで、壁プレート１５をフレーム１１に位置決めしやすくなる上、段差部１１ｅの深さと折曲片部１５ｃの厚みとを略一致させたため、折曲片部１５ｃの上面とフレーム１１の底壁部１１ａの上面とを略面一に設定することができるようになって、美観が損なわれるのが抑制されるとともに、当該底壁部１１ａの上面に蓋部材１６等をがたつきが小さくより安定的な状態で載置しやすくなる。よって、蓋部材１６によるプラグ収容室Ｓの密閉性が高まるという利点もある。
【００４８】
以上、本発明の好適な実施形態について説明したが、本発明は上記実施形態には限定されず、種々の変形が可能である。例えば、フレームおよび内部構造体の形状やコンセント本体部の数等は設置箇所や使用目的に応じて各種変更が可能である。
【図面の簡単な説明】
【００４９】
【図１】本発明の一実施形態にかかるインナーコンセント取付構造を略上方から見た断面図である。
【図２】図１のII−II断面図である。
【図３】本発明の一実施形態にかかるインナーコンセント取付構造の分解斜視図である。
【図４】本発明の一実施形態にかかるインナーコンセント取付構造のフレームを斜め上方から見た斜視図である。
【図５】図１のV−V断面図である。
【図６】本発明の一実施形態にかかるインナーコンセント取付構造が取り付けられたフロアパネルの開口部が形成された部分を下方（裏面側）から見た斜視図である。
【図７】本発明の一実施形態にかかるインナーコンセント取付構造の設置手順を（ａ）〜（ｃ）の順に示す斜視図である。
【図８】本発明の一実施形態にかかるインナーコンセント取付構造のフレームおよび枠状スペーサの分解斜視図である。
【符号の説明】
【００５０】
１  フロアパネル
２  開口部
２ａ  段差面（周縁部）
１１  フレーム
１１ｄ  凹設面（凹部）
１１ｅ  段差部（第２の凹部）
１２  内部構造体（インナーコンセント）
１３  コンセント本体部
１４  ブラケットプレート
１４ｂ  フランジ片（掛止部）
１５  壁プレート
１５ｃ  折曲片部（第２の掛止部）
１７  ビス（止めねじ）
【図１】
2008243549.tif 000003
【図２】
2008243549.tif 000004
【図３】
2008243549.tif 000005
【図４】
2008243549.tif 000006
【図５】
2008243549.tif 000007
【図６】
2008243549.tif 000008
【図７】
2008243549.tif 000009
【図８】
2008243549.tif 000010